(57)【要約】【課題】ＬＥＤ照明器具に使われる、ＬＥＤ発光体は、発光時における熱により発光体性能の劣化などがおきるため、生じる熱の放熱を行う放熱器が必要となる。また、照明に必要な電力消費は、蛍光灯よりも低いがＬＥＤ発光体価格は蛍光灯に用いる蛍光管より、高いためその汎用性が蛍光灯より低くなっている。【解決手段】放熱性の高いアルミニューム等の押し出し材用いてＬＥＤ発光体の発光時における熱による発光体性能の劣化を防ぐ役割の放熱器と照明反射板を構成した、ＬＥＤ照明箱体にＬＥＤ発光体を構成し、ユニット化した、ＬＥＤ照明ユニットを組み合わせることにより、さまざまなサイズのＬＥＤ照明器具を作り出すことにより、生産工程における生産設備機器等を、簡素化し、低価格のＬＥＤ照明器具を提供することにある。【選択図】図８
2010050074.tif 000002
【特許請求の範囲】
【請求項１】
押し出し材により作られる照明箱体にＬＥＤ照明光源を形成させたＬＥＤ照明ユニットの前記照明箱体の一方の押し出し方向の末端に対応する接続部を両面に構成した接続板を接続させさらに、前記接続板のもう一方の面に構成した対応する次のＬＥＤ照明ユニットの押し出し方向の末端の接続を次々行うことにより、照明器具自体の長さを変えることを特徴とする、ＬＥＤ照明器具
【請求項２】
押し出し材により作られる照明箱体にＬＥＤ照明光源を形成させたＬＥＤ照明ユニットの前記照明箱体の一方の押し出し方向の末端に、複数のＬＥＤ照明ユニットに対応する接続部を両面に構成した接続板を接続させさらに、前記接続板のもう一方の面に構成した対応する接続板に次の複数のＬＥＤ照明ユニットの押し出し方向の末端の接続を次々行うことにより、照明器具自体の長さ及び幅を変えることを特徴とする、ＬＥＤ照明器具
【請求項３】
前記請求項１のＬＥＤ照明器具において、接続された複数のＬＥＤ照明ユニットの両方の末端に複数のＬＥＤ照明ユニットの押し出し方向の末端に対応する並行な接続部を構成したエンドキャップを接続することにより、長さ及び幅を変えることができることを特徴とするＬＥＤ照明器具。
【請求項４】
前記請求項１のＬＥＤ照明器具において押し出し材により作られる照明箱体に、反射板の役割を行う反射角度が形成されていることを特徴とするＬＥＤ照明器具。
【発明の詳細な説明】
【技術分野】
【０００１】本発明は、ＬＥＤ発光体を使用するＬＥＤ照明器具の構造に利用される。
【技術背景】
【０００２】ＬＥＤ照明器具に使われる、ＬＥＤ発光体は、発光時における熱により発光体性能の劣化などがおきるため、生じる熱の放熱を行う放熱器が必要となる。また、照明に必要な電力消費は、蛍光灯よりも低いがＬＥＤ発光体価格は蛍光灯に用いる蛍光管より、高いためその汎用性が蛍光灯より低くなっている。
【発明の開示】
【発明が解決しようとする課題】
【０００３】本発明は、放熱性の高いアルミニューム等の押し出し材用いてＬＥＤ発光体の発光時における熱による発光体性能の劣化を防ぐ役割の放熱器と照明反射板を構成した、ＬＥＤ照明箱体にＬＥＤ発光体を構成し、ユニット化した、ＬＥＤ照明ユニットを組み合わせることにより、さまざまなサイズのＬＥＤ照明器具を作り出すことにより、生産工程における生産設備機器等を、簡素化し、低価格のＬＥＤ照明器具を提供することにある。
【課題を解決するための手段】
【０００４】本発明は、ＬＥＤ発光体を、反射角度を備えた放熱性の高いアルミニューム等の放熱性の高い押し出し材に形成し、これを１つのユニットとしこれらを、プラスチック等の継ぎ手を介して、次々と前記ユニットを接続させることにより、長さ及び幅を変えることの可能な１つのＬＥＤ照明器具とすることにより、ＬＥＤ発光体の発光時における熱による発光体性能の劣化を防ぐとともに、生産工程における生産設備機器等を、簡素化することにより、低価格のＬＥＤ照明器具を提供することにある。
【発明の効果】
【０００５】ＬＥＤ照明箱体のユニット化により蛍光灯のように用途に応じたさまざまなサイズを必要としなくまた、反射板や放熱板を別々に作る必要がないため、生産性がよくなり、低価格かつ放熱性の良い、ＬＥＤ照明器具を提供できる。
【発明を実施するための最良の形態】
【０００６】以下、本発明の実施の形態を図１から図８にもとずいて説明する。【０００７】図１のＡは、本発明に使用するＬＥＤ発光体を基板に構成させたＬＥＤ基板（１）をプラスチックのカバー（３）を備えたＬＥＤ基板取り付け台（２）に取り付けた、ＬＤＥ照明光源である。（４）は取り付け穴である。
図２における（ａ）図の（６）は、前記ＬＥＤ照明ユニット（Ａ）を取り付ける、アルミニュームなどの放熱性の良い中空形状押し出し材からなる照明箱体である、（５）は、ＬＥＤ照明光源（Ａ）を押し出しに取り付ける取り付けねじ穴である。
図（ｂ）は、図（ａ）の押し出し方向断面状図であり図（ａ）の右側面図である。
図（ｃ）は、前記ＬＥＤ照明光源（Ａ）を前記照明箱体（６）に取り付けた図でありこれによりＬＥＤから発せられる熱は、前記照明箱体（６）全体に熱伝導され空気中に放熱され熱によるＬＥＤ発光体の温度上昇を防ぐことにより温度によるＬＥＤ発光体の劣化を防ぐ、これを、１つのＬＥＤ照明ユニット（Ｂ）とする（照明の為の内部配線、電源用基板などの図示は省略する）図（ｄ）はＬＥＤ照明ユニット（Ｂ）の右側面図であり（７）は前記ＬＥＤ照明ユニット（Ｂ）を複数接続する際の接続用のガイド溝である。前記押し出し材（６）にはθなる角度が形成されていて、この角度はＬＥＤ照明光源（Ａ）から生じる光を反射する反射板の役割を果たす。
図３の図（ｅ）は、プラスチック等からなる、ＬＥＤ照明ユニット（Ｂ）を接続するための接続板（Ｄ）である、前図（ｂ）に示されている、前記照明箱体（６）の押し出し方向断面形状とほぼ同じ接続用溝（９）とＬＥＤ照明ユニット（Ｂ）と接続板（Ｄ）を接続するための接続用貫通穴（８）が接続部として構成されている、ＬＥＤ照明ユニット（Ｂ）の押し出し方向端面は前記接続板（Ｄ）に設けられた接続溝（９）に挿入され、ＬＥＤ照明ユニット（Ｂ）と接続板（Ｄ）は接続される。図（ｆ）は、前記接続板（Ｄ）の右側面図であり、図（ｇ）は、接続板（Ｄ）と同じ接続用溝（９）と接続用貫通穴（８）を備えた接続板（Ｄ）の背面図である。
図（ｈ）は、前記接続板（Ｄ）の斜視図である。【０００８】図４の図（ｉ）は、ＬＥＤ照明ユニット（Ｂ）の末端に接続する、プラスチック等からなるエンドキャップ（Ｅ）である、エンドキャップ（Ｅ）の片側には接続部として接続板（Ｄ）と同じ形状の接続用溝（９）と接続用貫通穴（８）と形状が同じだが貫通していない、末端接続用溝１（１０）と接続用溝（９）と同じ末端接続用溝２（１１）が構成されていて、前記溝にＬＥＤ照明ユニット（Ｂ）とエンドキャップ（Ｅ）を挿入することにより、接続する。
エンドキャップ（Ｅ）や接続板（Ｄ）の色を変えることにより周辺の配色にあった照明器具を構成できる、図（ｊ）は、エンドキャップ（Ｅ）の右側面図であり図（ｋ）は、背面図である。エンドキャップ（Ｅ）には、ねじ穴が図（ｉ）の平面と底面に構成されている。（図示しない）【０００７】図５は、複数のＬＥＤ照明ユニット（Ｂ）を接続するための、ステンレスなどの金属からなる連結棒（Ｆ）であり図（ｌ）はその、正面図、図（ｍ）は、右側面図であり（１２）はエンドキャップ（Ｅ）と連結棒（Ｆ）の締結用ねじ穴である。
図（ｎ）は、連結棒（Ｆ）を前記照明箱体（６）に構成した連結棒挿入溝（７）に前記連結棒を挿入した場合の前記照明箱体（６）の押し出し断面から見た図ｄある。【０００８】図６は、ＬＥＤ照明ユニット（Ｂ）を２個接続したＬＥＤ照明ユニット（Ｂ）２個からなる  ＬＥＤ照明器具を製作する図である、２個のエンドキャップ（Ｅ）と１個の接続板（Ｄ）と２本の接続棒（Ｆ）を使用して、図（ｏ）に示されているように、左側のエンドキャップ（Ｅ）とＬＥＤ照明ユニット（Ｂ）、接続板（Ｄ）、ＬＥＤ照明ブロック（Ｂ）の順で対応する溝接続溝（７）、末端接続用溝（１１）に矢印のように接続後、接続棒（Ｆ）を、接続板（Ｄ）、ＬＥＤ照明ユニット（Ｂ）に挿入後、右側のエンドキャップをＬＥＤ照明ブロック（Ｂ）と接続棒（Ｆ）に挿入し、その後各エンドキャップ（Ｅ）に備えた穴から、接続棒に備えたねじ穴にねじで締結することにより、照明器具全体を接続する。【０００９】図（ｐ）は、ＬＥＤ照明ユニット（Ｂ）接続後のＬＥＤ照明器具の完成図である、この図においては、２個のＬＥＤ照明ユニット（Ｂ）が接続され１つのＬＥＤ照明器具を構成しているが接続によりさらにＬＥＤ照明ユニット（Ｂ）を増やせば、明るさを変えることができる。
図７の（ｑ）図は、図６における（ｏ）図の斜視図であり、矢印は接続、挿入を示している、（ｒ）図は図６における（ｐ）図の斜視図である、（１３）は連結棒（Ｆ）をエンドキャップ（Ｅ）に締結するねじである。【００１０】図８は、図６や図７で示した、照明箱体（６）の押し出し方向への接続であったが、図（ｓ）に示されるように、エンドキャップ（Ｅ）に２個の接続用溝（９）と末端接続用溝（１０）を照明箱体（６）の押し出し方向と並行な方向に構成した２個並列接続用エンドキャップ（Ｇ）を構成させることにより、図（ｔ）で示されているような、照明箱体（６）の押し出し方向及びその並行方向にも複数のＬＥＤ照明ユニット（Ｂ）を接続することができる。
なお、エンドキャップばかりでなく、接続板（Ｄ）も同様に複数のＬＥＤ照明ユニット（Ｂ）を押し出し方向とは並行な方向に接続用溝（７）と接続用貫通穴（８）を増やすことができる。
図（ｕ）は、図（ｔ）の底面図である、図（ｔ）に示された、複数のＬＥＤ照明ユニット（Ｂ）は設けたセンサーなどやコントローラ（図示しない）によって各ＬＥＤ照明ユニット（Ｂ）の明るさを変化させることにより、明るさ及び、センサーからの情報を表示できる。
【図面の簡単な説明】
【００１１】
【図１】ＬＤＥ照明光源（Ａ）
【図２】図（ａ）照明箱体（６）、図（ｂ）照明箱体（６）の右側面図（押し出し方向断面図）  図（ｃ）ＬＥＤ照明光源（Ａ）を照明箱体（６）に取り付けた図，図（ｄ）は図（ｃ）の右側面図
【図３】図（ｅ）接続板（Ｄ）正面図  図（ｆ）接続板（Ｄ）右側面図  図（ｇ）接続板（Ｄ）背面図  図（ｈ）接続板（Ｄ）斜視図
【図４】図（ｉ）エンドキャップ（Ｅ）正面図  図（ｊ）エンドキャップ（Ｅ）右側面図  図（ｋ）エンドキャップ（Ｅ）背面図
【図５】図（ｌ）接続棒（Ｆ）左側面図  図（ｍ）接続棒（Ｆ）正面図  図（ｎ）照明箱体に取り付けた接続棒（Ｆ）図
【図６】図（ｏ）２個のＬＥＤ照明ユニット（Ｂ）接続前図  図（ｐ）２個のＬＥＤ照明ユニット（Ｂ）接続後図
【図７】図（ｑ）２個ＬＥＤ照明ユニット（Ｂ）接続前斜視図  図（ｒ）２個ＬＥＤ照明ユニット（Ｂ）接続後斜視図
【図８】図（ｓ）ＬＥＤ照明ユニット（Ｂ）を押し出し方向に４個接続の列を並行に２列接続した図
【符号の説明】
【００１２】１．ＬＥＤ基板
２．ＬＥＤ取り付け台
３．プラスチックカバー
４．ＬＥＤ取り付け台取り付け穴
５．ＬＥＤ取り付け台取り付け穴に対応するＬＥＤ照明光源（Ａ）の取り付けねじ穴
６．照明箱体
７．ＬＥＤ照明ユニット（Ｂ）接続用のガイド溝
８．ＬＥＤ照明ユニット（Ｂ）接続用貫通穴
９．ＬＥＤ照明ユニット（Ｂ）接続用溝（９）
１０．末端接続用溝１
１１．末端接続用溝２
１２．エンドキャップ（Ｅ）と連結棒（Ｆ）の締結用ねじ穴
１３．連結棒（Ｆ）をエンドキャップ（Ｅ）に締結ねじ
Ａ．ＬＤＥ照明光源
Ｂ．ＬＥＤ照明ユニット
Ｄ．接続板
Ｅ．エンドキャップ
Ｆ．連結棒
Ｇ．２個並列接続用エンドキャップ
θ  押し出し材に設けた反射角度
【図１】
2010050074.tif 000003
【図２】
2010050074.tif 000004
【図３】
2010050074.tif 000005
【図４】
2010050074.tif 000006
【図５】
2010050074.tif 000007
【図６】
2010050074.tif 000008
【図７】
2010050074.tif 000009
【図８】
2010050074.tif 000010